(57)【要約】      （修正有）【課題】作業走行中の踏圧を軽減させるための農業用四履帯作業用車体を提供する。  【解決手段】車台１に四本の脚２を設ける。それぞれの脚２に履帯３を履帯中央軸４によって支持する。履帯は履帯中央軸４を軸として上下動く。このように動くことにより、走行踏圧が分散される。車路となるうね間の土壌硬度が緩和される。そのために永年作物の根が健全に維持されるために、作業機械による作物への悪影響は永久に無くなる。逆に好影響となる。【選択図】図１
0003192640.tif 000002
【実用新案登録請求の範囲】
【請求項１】
車台１に１本の脚２を設け、それぞれの脚２の下部に一つの履帯３を履帯中央軸４によって支持する履帯３は、履帯中央軸４一本のみで支持されることから履帯中央軸４を軸して両端が走行と路面の凹凸に追従し上下に動き図３踏圧を軽減する農業用四履帯作業用車体。
【請求項２】
履帯が脚２に履帯中央軸４一本を軸にして支持していることから転倒防止に、履帯回転止腕５を脚２に設けトラックローラフレーム８に前転倒防止板６と後転倒防止板７設け、車体の転倒角以内でそれぞれ作動するよう転倒防止板６または７が転倒防止腕に接し、それ以上履帯が回転しない農業用四履帯作業用車体。
【考案の詳細な説明】
【技術分野】
【０００１】
作業走行中の踏圧を軽減させるための農業用履帯作業車体。
【背景技術】
【０００２】
履帯型農業用作業機は全て左右にそれぞれ一履帯有る。両側合わせて二履帯ある。同じ車両重量なら履帯型は車輪型に比べ理論平均接地圧は極めて低い。
【０００３】
しかし、走行中の踏圧を測定すると決して低くなく、履帯の前部又は後部に収穫物や堆肥・農薬散布液を搭載すると車輪型より踏圧は高くなる。
【０００４】
現行では同じうね間を年３０回前後走行することから、走行踏圧よってうね間の土壌硬度が次第に高くなり作物根の生育環境が次第に悪化している。
【０００５】
非特許文献１によると、履帯下部ローラ部下の接地圧が高くなる。また、非特許文献２は、履帯茶園作業機の踏圧が茶樹に及ぼす影響によると車両重量約２ｔの車輪型トラクタで茶園を管理すると生育収量が劣る。しかし、適度な踏圧であれば増収するとある。
【先行技術文献】
【非特許文献】
【０００６】
【非特許文献１】「生物生産機械ハンドブック」、農業機械学会編、編者農業機械学会、発行者株式会社コロナ社代表者牛来辰巳（全１，１３３頁）３５４頁
【非特許文献２】「農業生産技術管理学会誌」第１９巻第３号、発行者東京農業大学短期大学部内農業生産技術管理学会、９５〜１０２頁
【考案の概要】
【考案が解決しようとする課題】
【０００７】
永年作物の中で茶園のような栽培形態の作物はうね間を車路としている。作業機械は年３０回前後同じうね間を走行している。
【０００８】
走行踏圧の低いとされる履帯型は接地面積が車輪型に比べ格段に広いが走行接地圧が僅かに低いだけであり、更に、枕地が狭い関係から履帯接地長が短く、この有利性も生かされにくい。
【０００９】
その作業機械に前部又は後部に収穫物・堆肥・農薬散布液などを搭載することにより、走行踏圧が更に高くなる。
【００１０】
現在は、履帯作業機の車両重量２ｔを超えるものが市販され、ますます走行中の接地圧が高くなり土壌硬度が心配される。
【００１１】
現状では履帯型作業機械であれば走行踏圧は低いとのイメージから、走行踏圧を無視した作業が行われている。
【００１２】
うね状に栽植した永年作物は、うね間車路として年３０回前後走行することによって、土壌硬度が次第に高くなり根の生育環境が悪く十分に肥料を吸収できなくなり、年次経過と共に生育が悪化して行くので、これを防ぐために、作物が良好な生育を保つ適度な土壌硬度を維持することを目的とした。
【課題を解決するための手段】
【００１３】
作業中の走行踏圧を軽減する手段として、四履帯走行装置を持つ、作業車体を考案した。
【００１４】
うね状に植栽した作物を跨いで管理できるように、四角の車台に前後左右対称に四本の脚を固定し、その下部に，履帯を装着する。
【００１５】
その四本の脚下部にそれぞれ履帯を装着する。
【００１６】
履帯の装着方法は、履帯３のトラックローラフレーム８の中央を履帯中央軸一本で支持する。
【００１７】
本考案は以上の構成によってなる農業用四履帯作業車体である。
【考案の効果】
【００１８】
考案の農業用四履帯作業車体は、それぞれの履帯中央軸一本で支持としたことで履帯の両端部が作業路面の凹凸に追従しながら動くことで、接地面積が常に広く保たれ、従って接地圧が大幅に軽減される。
【００１９】
この接地圧の低下により、土壌硬度が作物の良好な生育環境を永久に保ち続けることができる。
【図面の簡単な説明】
【００２０】
【図１】本考案の農業用四履帯作業車体の側面図
【図２】本考案の農業用四履帯作業車体の低面図
【図３】履帯先端の上下動図
【図４】車体転倒防止履帯回転止図
【図５】車体転倒防止履帯回転止図Ａ−Ａ線断面図
【考案を実施するための形態】
【００２１】
以下、本考案の実施形態を図1〜図５に基づいて説明する。
【００２２】
作業中の走行踏圧を軽減する手段として四履帯３が土壌表面の凹凸に沿って上下動３図する四履帯走行装置を持つ、作業車体である。
【００２３】
作業車体はうね状に植栽した作物を跨いで管理できるように、四角の車台１に前後左右対称に四本の脚２を設け固定し、その下部に，走行装置として履帯３を装着した。
【００２４】
その四本の脚２にそれぞれに走行装置の履帯３を装着する。
【００２５】
履帯の装着方法は、履帯３のトラックローラフレーム８の中央を履帯中央軸４一本で支持する。
【００２６】
履帯３・トラックローラフレーム８を中央軸４一本で支持することで、転倒しやすくなったこと考えられることから、車体転倒防止履帯回転止は脚２に直角転倒防止腕５左右に設け、トラックローラフレーム８に前転倒防止板６と後転倒防止板７設け履帯３が転倒角度以内であるようにした装置にする。
【００２７】
本考案は以上の構成によってなる農業用四履帯作業車体である。
【実施例】
【００２８】
永年作物で茶園のように長いうね園状に仕立て、履帯作業機で管理する作物は、うね間を車路としている。そのうね間土壌は肥培管理用土壌部分として茶樹細根が繁茂できる環境を維持しなければならない大切な土壌である。このうね間土壌を細根が最良の状態で生育できることが品質収量維持であり、農業経営上最も重要な一つである。このような最良の土壌を維持するのに、走行踏圧の低い走行装置が必要である。
茶樹のような永年作物には、この走行踏圧の低い四履帯作業機の導入がうね間土壌の管理上必要である。それは、この四履帯作業機械で管理すれば茶樹根を健全な状態で永久に維持できる。この四履帯作業機械を導入すると経営的にも安定し大きく貢献する。
【符号の説明】
【００２９】
１  車台
２  脚
３  履帯
４  履帯中央軸
５   転倒防止腕
６  前転倒防止板
７   後転倒防止板
８  トラックローラフレーム
【図１】
0003192640.tif 000003
【図２】
0003192640.tif 000004
【図３】
0003192640.tif 000005
【図４】
0003192640.tif 000006
【図５】
0003192640.tif 000007
【手続補正書】
【提出日】平成26年5月9日(2014.5.9)
【手続補正１】
【補正対象書類名】実用新案登録請求の範囲
【補正対象項目名】全文
【補正方法】変更
【補正の内容】
【実用新案登録請求の範囲】
【請求項１】
四角の車台（１）に前後左右対称に四本の脚（２）を設け、それぞれの脚（２）の下部に履帯中央軸（４）によって支持する履帯（３）を装着し、前記履帯（３）は履帯中央軸（４）一本のみで支持されることから履帯中央軸（４）を軸として両端が走行と路面の凹凸に追従し上下に動き踏圧を軽減する農業用四履帯作業用車体。
【請求項２】
履帯（３）が脚（２）に履帯中央軸（４）一本を軸にして支持されていることから、転倒防止に、履帯回転止腕（５）を脚（２）に設け、トラックローラフレーム（８）に前転倒防止板（６）と後転倒防止板（７）を設け、車体の転倒角以内でそれぞれ作動するよう転倒防止板（（６）または（７））が転倒防止腕（５）に接し、それ以上履帯（３）が回転しない、請求項１記載の農業用四履帯作業用車体。